(57)【特許請求の範囲】
【請求項１】
浴槽排水入水口と、洗い場排水入水口と、排水口とを有する排水容器と、洗い場排水入水口から排水容器内へ挿入された排水筒とを備え、排水筒の下端は、排水容器内に貯留される排水の最高水面である封水面よりも下方に在り、浴室ユニットの洗い場に取り付けられる排水トラップであって、排水筒内の上方から下方への水流を許容し、下方から上方への水流を阻止する逆流防止弁を備え、逆流防止時を除き逆流防止弁の弁体の一部又は全部が封水面よりも下方に在り、逆流防止弁は排水筒に設けられた環状弁座と、環状弁座の下面に揺動可能に取り付けられた弁体とを有することを特徴とする浴室ユニットの排水トラップ。
【請求項２】
上端が開放され下端が閉鎖された封水筒と、封水筒を取り巻き上端が封水筒の上端よりも上方にあり下端から径方向内方へ延びる底壁が封水筒の側壁に達する排水外筒と、排水外筒の側壁に形成された排水口と、封水筒の側壁に形成され浴槽の排水が流入する入水口と、封水筒に挿入され上端が封水筒の上端よりも上方にあり下端が封水筒の底壁から上方へ隔てられた排水筒と、排水筒の上部と排水外筒の上部との間に形成される環状の隙間を閉鎖する蓋部材とを備え、浴室ユニットの洗い場に取り付けられる排水トラップであって、排水筒内の上方から下方への水流を許容し、下方から上方への水流を阻止する逆流防止弁を備え、逆流防止時を除き逆流防止弁の弁体の一部又は全部が、排水トラップ内に貯留される排水の最高水面である封水面よりも下方に在り、逆流防止弁は排水筒に設けられた環状弁座と、環状弁座の下面に揺動可能に取り付けられた弁体とを有することを特徴とする浴室ユニットの排水トラップ。
【発明の詳細な説明】
【０００１】
【発明の属する技術分野】
本発明は、浴室ユニットの排水トラップに関するものである。
【０００２】
【従来の技術】
図１に示すように、浴槽排水入水口Ａと、洗い場排水入水口Ｂと、排水口Ｃとを有する排水容器Ｄと、洗い場排水入水口Ｂから排水容器Ｄ内へ挿入された排水筒Ｅとを備え、排水筒Ｅの下端は、排水容器Ｄ内に貯留される排水の最高水面である封水面αよりも下方に在り、浴室ユニットの洗い場に取り付けられる排水トラップが、従来から使用されている。
上記構造の排水トラップにおいては、浴槽排水時に浴槽排水入水口Ａから排水トラップ内へ流入し、排水筒Ｅ内を下方から上方へ逆流した浴槽からの排水が、洗い場へ溢れ出るのを防止するために、図１に示すように、排水筒Ｅ上端からの逆流排水の噴出高さｈ１よりも大きな深さｈ２を有するピットＦを洗い場に形成し、ピットＦの底壁に排水トラップを取り付ける必要があった。
【０００３】
【発明が解決しようとする課題】
従来構造の浴室ユニットの排水トラップには、大きな深さｈ２を有するピットを洗い場に形成する必要があるので、浴室ユニットの建物躯体床面からの設置高さＨが大きくなり、居室床面の建物躯体床面からの設置高さの増加を招き、建物の階高の増加を招き、建築コストの増加を招くという問題があった。
本発明は上記問題に鑑みてなされたものであり、浴槽排水入水口と、洗い場排水入水口と、排水口とを有する排水容器と、洗い場排水入水口から排水容器内へ挿入された排水筒とを備え、排水筒の下端は、排水容器内に貯留される排水の最高水面である封水面よりも下方に在り、浴室ユニットの洗い場に取り付けられる排水トラップであって、浴室ユニットの建物躯体からの設置高さを従来に比べて低減できる浴室ユニットの排水トラップを提供することを目的とする。
【０００４】
【課題を解決するための手段】
上記課題を解決するために、本発明においては、浴槽排水入水口と、洗い場排水入水口と、排水口とを有する排水容器と、洗い場排水入水口から排水容器内へ挿入された排水筒とを備え、排水筒の下端は、排水容器内に貯留される排水の最高水面である封水面よりも下方に在り、浴室ユニットの洗い場に取り付けられる排水トラップであって、排水筒内の上方から下方への水流を許容し、下方から上方への水流を阻止する逆流防止弁を備え、逆流防止時を除き逆流防止弁の弁体の一部又は全部が封水面よりも下方に在り、逆流防止弁は排水筒に設けられた環状弁座と、環状弁座の下面に揺動可能に取り付けられた弁体とを有することを特徴とする浴室ユニットの排水トラップを提供する。
また本発明においては、上端が開放され下端が閉鎖された封水筒と、封水筒を取り巻き上端が封水筒の上端よりも上方にあり下端から径方向内方へ延びる底壁が封水筒の側壁に達する排水外筒と、封水外筒の側壁に形成された排水口と、封水筒の側壁に形成され浴槽の排水が流入する入水口と、封水筒に挿入され上端が封水筒の上端よりも上方にあり下端が封水筒の底壁から上方へ隔てられた排水筒と、排水筒の上部と排水外筒の上部との間に形成される環状の隙間を閉鎖する蓋部材とを備え、浴室ユニットの洗い場に取り付けられる排水トラップであって、排水筒内の上方から下方への水流を許容し、下方から上方への水流を阻止する逆流防止弁を備え、逆流防止時を除き逆流防止弁の弁体の一部又は全部が、排水トラップ内に貯留される排水の最高水面である封水面よりも下方に在り、逆流防止弁は排水筒に設けられた環状弁座と、環状弁座の下面に揺動可能に取り付けられた弁体とを有することを特徴とする浴室ユニットの排水トラップを提供する。
【０００５】
本発明に係る浴室ユニットの排水トラップにおいては、排水筒内の上方から下方への水流を許容し、下方から上方への水流を阻止する逆流防止弁により、浴槽排水時に排水トラップ内へ流入した浴槽からの排水が、排水筒を下方から上方へ逆流するのが阻止され、当該排水が洗い場へ溢れ出るのが防止される。本発明に係る排水トラップを使用すれば、浴室ユニットの洗い場に形成するピットの深さを従来に比べて低減できるので、浴室ユニットの建物躯体からの設置高さを従来に比べて低減できる。
【０００６】
防水パンへの排水の逆流を防止ためのフロート式の逆流防止弁を備える排水トラップが特開２００１−２００５６５に開示されているが、弁体を形成するフロートが、排水トラップ内に貯留される排水の最高水面である封水面より常時上方に在り、封水面の上方にフロートの上下移動空間が形成されているので、排水トラップの高さが大きくなっている。従って、特開２００１−２００５６５の排水トラップが備えるフロート式の逆流防止弁と同様の逆流防止弁を備える排水トラップを洗い場に取り付けても、浴室ユニットの建物躯体からの設置高さを従来に比べて低減することはできない。
【０００７】
逆流防止時を除き弁体の一部又は全部が封水面よりも下方に在る逆流防止弁を備える本発明に係る排水トラップは、弁体の上下運動空間を含めた高さが小さい。従って、本発明に係る排水トラップを洗い場部に取り付けることにより、浴室ユニットの建物躯体からの設置高さを低減できる。
【０００８】
【発明の実施の形態】
本発明の実施例に係る浴室ユニットの排水トラップを説明する。
図２〜４に示すように、排水トラップ１は、上端が開放され下端が閉鎖された封水筒２と、封水筒２を取り巻き上端が封水筒２の上端よりも上方にあり下端から径方向内方へ延びる底壁が封水筒２の側壁に達する排水外筒３とを備えている。封水筒２の上端面を含む平面は、排水トラップ１内に貯留される排水の最高水面である封水面αを形成している。封水筒２の側壁下部に入水口２ａが形成され、排水外筒３の側壁に排水口３ａが形成されている。浴室ユニットの浴槽１００から延びる浴槽排水管１０１が入水口２ａに接続されている。排水管１０２が排水口３ａに接続されている。
上端に外フランジ４ａが形成された排水筒４が、封水筒２に挿入されている。排水筒４の上端は封水筒２の上端よりも上方にあり、下端は封水筒２の底壁から上方へ所定距離隔てられている。
環状の取付けフランジ５が配設されている。取付けフランジ５の内周縁部は、水密パッキン６を介して排水筒４の外フランジ４ａに下方から係合し、排水筒４を支持している。取付けフランジ５中央部の外周面は、浴室ユニットの洗い場２００に形成された排水ピット２０１の排水穴周縁と、排水外筒３の上端部内周縁とに螺合して、排水外筒３と封水筒２とを洗い場２００に取り付けている。取付けフランジ５の外周縁部は、水密パッキン７を介して排水ピット２０１の底壁に上方から係合している。取付けフランジ５は、排水筒４の上部と排水外筒３の上部との間に形成される環状の隙間を閉鎖する蓋部材を形成している。
排水筒４の外フランジ４ａ上に、水密パッキン８を介して環状弁座９ａが載置されている。環状弁座９ａの外周縁は取付けフランジ５中央部の内周面に螺合している。環状弁座９ａの下面に、略円板状の弁体９ｂが揺動可能に取り付けられている。環状弁座９ａと弁体９ｂとにより、逆流防止弁９が構成されている。後述する逆流防止時を除き、弁体９ｂは自重により下方へ揺動して環状弁座９ａから離れており、弁体９ｂの一部は、図３に示すように、封水面αより下方に在る。
【０００９】
排水トラップ１の作動を説明する。
浴槽１００の排水が入水口２ａを介して封水筒２へ流入する場合を除き、図３に示すように、弁体９ｂは自重により下方へ揺動して環状弁座９ａから離れており、逆流防止弁９は開いている。洗い場２００の排水が、排水ピット２０１と逆流防止弁９とを介して排水筒４へ流入し、排水筒４内を上方から下方へ流れ、封水筒２へ流入する。封水筒２内の排水は封水面αを超えて排水外筒３流入し、排水口３ａから排水管１０２へ流入し、浴室外へ排出される。
浴槽１００の排水が入水口２ａを介して封水筒２へ流入すると、図２で矢印で示すように、排水筒４内に下方から上方へ向かう排水流が形成される。当該水流に押されて弁体９ｂが上方へ揺動し、環状弁座９ａに当接する。この結果逆流防止弁９が閉じ、排水筒４内の下方から上方へ向かう排水の逆流が阻止され、逆流した排水が洗い場２００へ溢れ出るのを防止する。封水筒２内の排水は封水面αを超えて排水外筒３流入し、排水口３ａから排水管１０２へ流入し、浴室外へ排出される。
【００１０】
浴室ユニットの排水トラップ１においては、排水筒４内の上方から下方への水流を許容し、下方から上方への水流を阻止する逆流防止弁９が、浴槽１００からの排水時に、封水筒２の側壁に形成された入水口２ａから排水トラップ１内へ流入し、排水筒４を下方から上方へ逆流した浴槽１００からの排水が、洗い場２００へ溢れ出るのを防止する。逆流防止弁９が閉じるまでに排水ピット２０１へ溢れ出る排水は極く少量なので、排水筒４の上端から計った排水ピット２０１の深さｈ２を従来に比べて低減でき、浴室ユニットの建物躯体からの設置高さＨを従来に比べて低減できる。
逆流防止時を除き弁体９ｂの一部が封水面αよりも下方に在る逆流防止弁９を備える排水トラップ１は、弁体９ｂの上下揺動空間を含めた高さが小さい。従って、排水トラップ１を洗い場２００に取り付けることにより、浴室ユニットの建物躯体からの設置高さＨを低減できる。
【００１１】
図５、６に示すように、排水筒４の上端に環状弁座１９ａを形成し、環状弁座１９ａの下面に、略円板状の弁体１９ｂを揺動可能に取り付け、環状弁座１９ａと弁体１９ｂとにより逆流防止弁１９を構成しても良い。この場合には、逆流防止時を除き、自重により下方へ揺動した弁体１９ｂの一部が、図５に示すように、封水面αより下方に在るように構成する。また、排水筒４の外フランジ４ａの外周縁を取付けフランジ５中央部の内周面に螺合させる。
【００１２】
図７、８に示すように、排水筒４の内部に環状弁座２９ａを取付け或いは排水筒４と一体形成し、環状弁座２９ａの下面に、略円板状の弁体２９ｂを揺動可能に取り付け、環状弁座２９ａと弁体２９ｂとにより逆流防止弁２９を構成しても良い。この場合には、逆流防止時を除き、自重により下方へ揺動した弁体１９ｂの一部又は全部が、図７に示すように、封水面αより下方に在るように構成する。また、排水筒４の外フランジ４ａの外周縁を取付けフランジ５の内周面に螺合させる。
【００１３】
図９に示すように、図２〜４の環状弁座９ａを横断する連結部９ｃを形成し、連結部９ｃの下面に、半円形の２枚の弁体９ｄ、９ｄを揺動可能に取り付け、環状弁座９ａと２枚の弁体９ｄ、９ｄとにより逆流防止弁を構成しても良い。逆流防止時を除き、自重により下方へ揺動した弁体９ｄの一部が、封水面αより下方に在るように構成する。
【００１４】
図１０に示すように、図２〜４の環状弁座９ａを横断する連結部９ｅを形成し、連結部９ｅに排水ホースとの筒状の接続部９ｆを取付け或いは一体形成し、環状弁座９ａの下面に揺動可能に取り付けた弁体９ｂの、逆流防止時に接続部９ｆに対峙する部位に開口９ｇを形成しても良い。洗濯機等から延びる排水ホース３００を接続部９ｆに接続し、洗濯機等からの排水と浴槽１００からの排水とを同時に排水トラップ１へ排出すると、弁体９ｂが上方へ揺動して環状弁座９ａに当接し、逆流防止弁９は閉じる。この結果、浴槽１００から排水トラップ１へ排出された排水が、排水筒４を逆流して洗い場２００へ溢れ出るのが防止される。洗濯機等からの排水は、接続部９ｆと弁体９ｂの開口９ｇとを通って、支障なく排水トラップ１へ排出される。
【００１５】
図１１に示すように、図２〜４の環状弁座９ａの下面に、複数のＬ形状の支持腕９ｈを周方向に互いに間隔を隔てて取り付け、複数の支持腕９ｈにより、円板状の弁体９ｉを、環状弁座９ａの下方で上下移動可能に支持し、環状弁座９ａと弁体９ｉとにより逆流防止弁を構成しても良い。逆流防止時を除き、自重により支持腕９ｈの屈曲した下端部に当接した弁体９ｉの全体が、封水面αより下方に在るように構成する。上記構成の逆流防止弁を備える排水トラップ１においては、洗い場２００からの排水は、弁体９ｉが支持腕９ｈの屈曲した下端部に当接することにより開いた逆流防止弁の、環状弁座９ａの中央開口と、互いに隣接する支持腕９ｈ間の隙間とを通って、支障無く排水筒４へ流入する。浴槽１００の排水が、入水口２ａを通って封水筒２へ流入し、排水筒４内に下方から上方へ向かう排水流が形成されると、当該排水流に押された弁体９ｉが上方へ移動して環状弁座９ａに当接し、逆流防止弁が閉じる。この結果、排水筒４内の下方から上方への排水の逆流が阻止され、排水が洗い場２００へ溢れ出るのが防止される。
【００１６】
図１２に示すように、図２〜４の環状弁座９ａを横断する連結部９ｊを形成し、連結部９ｊの下面に、下端に外フランジ９ｋ′が形成された筒体９ｋを取り付け或いは一体形成し、筒体９ｋに円環板状の弁体９ｍを遊嵌させ、環状弁座９ａと弁体９ｍとにより逆流防止弁を構成しても良い。逆流防止時を除き、自重により筒体９ｋ下端の外フランジ９ｋ′に当接した弁体９ｍの全体が、封水面αより下方に在るように構成する。上記構成の逆流防止弁を備える排水トラップ１においては、洗い場２００からの排水は、弁体９ｍが筒体９ｋ下端の外フランジ９ｋ′に当接することにより開いた逆流防止弁の、環状弁座９ａの中央開口を通って、支障無く排水筒４へ流入する。浴槽１００の排水が、入水口２ａを通って封水筒２へ流入し、排水筒４内に下方から上方へ向かう排水流が形成されると、当該排水流に押された弁体９ｍが上方へ移動して環状弁座９ａに当接し、逆流防止弁が閉じる。この結果、排水筒４内の下方から上方への排水の逆流が阻止され、排水が洗い場２００へ溢れ出るのが防止される。
【００１７】
本発明は、上記構造の排水トラップに限らず、浴槽排水入水口と、洗い場排水入水口と、排水口とを有する排水容器と、洗い場排水入水口から排水容器内へ挿入された排水筒とを備え、排水筒の下端は、排水容器内に貯留される排水の最高水面である封水面よりも下方に在り、浴室ユニットの洗い場に取り付けられる排水トラップ全般に適用可能である。例えば図１３に示す排水トラップは、浴槽排水入水口Ａと、洗い場排水入水口Ｂと、排水口Ｃとを有する排水容器Ｄと、洗い場排水入水口Ｂから排水容器内へ挿入された排水筒Ｅとを備え、排水筒Ｅの下端は、排水容器Ｄ内に貯留される排水の最高水面である封水面αよりも下方に在る。図１３に示す排水トラップにも本発明は適用可能である。
【００１８】
【発明の効果】
上記説明から分かるように、本発明に係る浴室ユニットの排水トラップにおいては、排水筒内の上方から下方への水流を許容し、下方から上方への水流を阻止する逆流防止弁により、浴槽排水時に排水トラップ内へ流入した浴槽からの排水が、排水筒を下方から上方へ逆流するのが阻止され、当該排水が洗い場へ溢れ出るのが防止される。本発明に係る排水トラップを使用すれば、浴室ユニットの洗い場に形成するピットの深さを従来に比べて低減できるので、浴室ユニットの建物躯体からの設置高さを従来に比べて低減できる。
逆流防止時を除き弁体の一部又は全部が封水面よりも下方に在る逆流防止弁を備える本発明に係る排水トラップは、弁体の上下運動空間を含めた高さが小さい。従って、本発明に係る排水トラップを洗い場部に取り付けることにより、浴室ユニットの建物躯体からの設置高さを低減できる。
【図面の簡単な説明】
【図１】従来構造の排水トラップを取り付けた浴室ユニットの断面図である。
【図２】本発明の実施例に係る排水トラップを取り付けた浴室ユニットの断面図である。
【図３】図２の部分拡大図である。
【図４】本発明の実施例に係る排水トラップが備える逆流防止弁の分解斜視図である。
【図５】本発明の他の実施例に係る排水トラップを取り付けた浴室ユニットの断面図である。
【図６】図５の排水トラップが備える逆流防止弁の分解斜視図である。
【図７】本発明の他の実施例に係る排水トラップを取り付けた浴室ユニットの断面図である。
【図８】図７の排水トラップが備える逆流防止弁の分解斜視図である。
【図９】本発明の他の実施例に係る排水トラップが備える逆流防止弁の構造図である。（ａ）は斜視図であり、（ｂ）は断面図である。
【図１０】本発明の他の実施例に係る排水トラップが備える逆流防止弁の構造図である。（ａ）は斜視図であり、（ｂ）は断面図である。
【図１１】本発明の他の実施例に係る排水トラップが備える逆流防止弁の構造図である。（ａ）は斜視図であり、（ｂ）は断面図である。
【図１２】本発明の他の実施例に係る排水トラップが備える逆流防止弁の構造図である。（ａ）は斜視図であり、（ｂ）は断面図である。
【図１３】本発明が適用可能な排水トラップの他の構造例の断面図である。
【符号の説明】
１  排水トラップ
２  封水筒
３  排水外筒
４  排水筒
５  取付けフランジ
６、７、８  水密パッキン
９、１９、２９  逆流防止弁
９ａ、１９ａ、２９ａ  環状弁座
９ｂ、９ｄ、９ｉ、９ｍ、１９ｂ、２９ｂ  弁体
α  封水面
Ａ  浴槽排水入水口
Ｂ  洗い場排水入水口
Ｃ  排水口
Ｄ  排水容器
Ｅ  排水筒
【図１】
0003856120.tif 000002
【図２】
0003856120.tif 000003
【図３】
0003856120.tif 000004
【図４】
0003856120.tif 000005
【図５】
0003856120.tif 000006
【図６】
0003856120.tif 000007
【図７】
0003856120.tif 000008
【図８】
0003856120.tif 000009
【図９】
0003856120.tif 000010
【図１０】
0003856120.tif 000011
【図１１】
0003856120.tif 000012
【図１２】
0003856120.tif 000013
【図１３】
0003856120.tif 000014